(57)【要約】【課題】複数の画像データを、画面を多分割し同時に表示する際に、ユーザーがレーザーポインターの操作によって直感的に画像の表示サイズを変更できること。【解決手段】複数のノートＰＣ１００，１１０と接続され、ノートＰＣ１００，１１０から送信される複数の画像データを受信する映像入力部２０４と、画像データに基づく画像を表示する画像表示部２０２と、レーザーポインターの光を検知する受光部２０１と、受光部２０１にて検出したレーザーポインターの軌道情報から分割領域のサイズを算出し、表示を変更する制御部２０８と、を備えること特徴とする画像表示装置。【選択図】図２
2012073315.tif 000002
【特許請求の範囲】
【請求項１】
複数の画像信号の入力を受け付ける画像信号入力部と、
前記画像信号に基づく表示画像を画面に表示する画像表示部と、
レーザーポインターにより前記画面に投影される光点を検知する受光部と、
前記受光部にて検出された前記光点の位置に基づき前記光点の軌道を表す軌道情報を算出する軌道算出部と、
算出された前記軌道情報に基づき前記画面を分割する制御部と、
を有することを特徴とする画像表示装置。
【請求項２】
請求項１に記載の画像表示装置であって、前記制御部は、前記軌道情報が表す軌道が前記画面を横断する場合、前記軌道情報に基づき前記画面を縦方向に分割する画像表示装置。
【請求項３】
請求項１あるいは２に記載の画像表示装置であって、前記制御部は、前記軌道情報が表す軌道が前記画面を縦断する場合、前記軌道情報に基づき前記画面を横方向に分割する画像表示装置。
【請求項４】
請求項１ないし３のいずれか一項に記載の画像表示装置であって、前記制御部は、所定の時間内に前記軌道算出部から複数の軌道情報が入力されると、前記複数の軌道情報に基づき前記画面を分割する画像表示装置。
【請求項５】
請求項１ないし４のいずれか一項に記載の画像表示装置であって、前記画像表示部は、
光源と、
前記光源からの光を画像光に変調するライトバルブと、
前記ライトバルブにより変調された前記画像光を投写する投写レンズと、
を備え、
前記画像光を投写することにより前記表示画像を表示することを特徴とする画像表示装置。
【請求項６】
画面に画像を表示する画像表示方法であって、
複数の画像信号の入力を受け付ける画像信号入力ステップと、
レーザーポインターにより前記画面に投影される光点を検知する受光ステップと、
前記検出された前記光点の位置に基づき前記光点の軌道を表す軌道情報を算出する軌道算出ステップと、
算出された前記軌道情報に基づき前記画面を分割する制御ステップと、
を有することを特徴とする画像表示方法。
【請求項７】
請求項６に記載の画像表示方法であって、前記軌道情報が表す軌道が前記画面を横断する場合、前記軌道情報に基づき前記画面を縦方向に分割する画像表示方法。
【請求項８】
請求項６あるいは７に記載の画像表示方法であって、前記軌道情報が表す軌道が前記画面を縦断する場合、前記軌道情報に基づき前記画面を横方向に分割する画像表示方法。
【請求項９】
請求項６ないし８のいずれか一項に記載の画像表示方法であって、所定の時間内に複数の軌道情報が入力されると、前記複数の軌道情報に基づき前記画面を分割する画像表示方法。
【発明の詳細な説明】
【技術分野】
【０００１】
本発明は、主に、接続された画像供給装置から供給されるデータに基づいて画像を表示する画像表示装置および画像表示方法に関する。
【背景技術】
【０００２】
複数の画像供給装置と接続し、各画像供給装置から供給される画像データを、画面を単独または多分割し、同時に表示する機能を有する画像表示装置において、特定の画像を拡大表示する場合、発表者はコントローラーにより所望の画像を選択し、画像サイズを変更することができる（例えば、特許文献１参照）。
【先行技術文献】
【特許文献】
【０００３】
【特許文献１】特許第３４８３４６９号公報
【発明の概要】
【発明が解決しようとする課題】
【０００４】
しかしながら、発表者が、コントローラーによって、所望の画像を選択し、その表示サイズを変更する場合、例えば、プロジェクター等にリモコンを向けて、所定の操作をしながら発表しなければならない。このため、操作が煩雑となったり、リモコンの操作に気を取られたりするため、スムーズなプレゼンテーションの妨げとなってしまう場合があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる画像表示装置は、複数の画像信号の入力を受け付ける画像信号入力部と、前記画像信号に基づく表示画像を画面に表示する画像表示部と、レーザーポインターにより前記画面に投影される光点を検知する受光部と、前記受光部にて検出された前記光点の位置に基づき前記光点の軌道を表す軌道情報を算出する軌道算出部と、算出された前記軌道情報に基づき前記画面を分割する制御部と、を有することを特徴とする。
【０００７】
本適用例によれば、発表者が所望の画像の表示サイズを変更したい場合、レーザーポインターによる簡単かつ直感的な操作により表示サイズの変更が可能であるため、コントローラーによる所定の操作が不要となり、これによって、プレゼンテーションの進行を妨げることなく所望の画像の表示サイズを変更することが可能となる。
【０００８】
［適用例２］上記適用例に記載の画像表示装置において、前記制御部は、前記軌道情報が表す軌道が前記画面を横断する場合、前記軌道情報に基づき前記画面を縦方向に分割するように構成してもよい。
【０００９】
本適用例によれば、例えば入力映像が２ソースの場合、レーザーポインターの操作により画面の表示領域を縦に２分割し、各々分割された領域に合わせて表示を変更するため、直感的に双方の表示サイズを変更することが可能となる。
【００１０】
［適用例３］上記適用例に記載の画像表示装置において、前記制御部は、前記軌道情報が表す軌道が前記画面を縦断する場合、前記軌道情報に基づき前記画面を横方向に分割するように構成してもよい。
【００１１】
本適用例によれば、例えば入力映像が２ソースの場合、レーザーポインターの操作により画面の表示領域を横に２分割し、各々分割された領域に合わせて表示を変更するため、直感的に双方の表示サイズを変更することが可能となる。
【００１２】
［適用例４］上記適用例に記載の画像表示装置において、前記制御部は、所定の時間内に前記軌道算出部から複数の軌道情報が入力されると、前記複数の軌道情報に基づき前記画面を分割するように構成してもよい。
【００１３】
本適用例によれば、軌道算出部により最初の軌道情報が算出されてから所定の時間が経過するまでの間に、新たな軌道情報が算出されると、先に算出された軌道情報と、後に算出された軌道情報とに基づいて画面の分割状態を変更することができる。したがって、例えば入力映像が４ソースの場合、レーザーポインターの操作により画面の表示領域を４分割し、各々分割した領域に合わせて表示が変更されるため、直感的にそれぞれの表示サイズを変更することが可能となる。
【００１４】
［適用例５］上記適用例に記載の画像表示装置において、前記画像表示部は、光源と、前記光源からの光を画像光に変調するライトバルブと、前記ライトバルブにより変調された前記画像光を投写する投写レンズと、を備え、前記画像光を投写することにより前記表示画像を表示するように構成してもよい。
【００１５】
本適用例によれば、画像表示装置は光源とライトバルブと投写レンズとを備えているため、表示画像を大きく拡大して投写することが可能となり、プレゼンテーションをより効果的に行うことが可能となるうえ、上述した適用例と同等の効果を得ることができる。
【００１６】
［適用例６］本適用例にかかる画像表示方法は、画面に画像を表示する画像表示方法であって、複数の画像信号の入力を受け付ける画像信号入力ステップと、レーザーポインターにより前記画面に投影される光点を検知する受光ステップと、前記検出された前記光点の位置に基づき前記光点の軌道を表す軌道情報を算出する軌道算出ステップと、算出された前記軌道情報に基づき前記画面を分割する制御ステップと、を有することを特徴とする。
【００１７】
本適用例によれば、発表者が所望の画像の表示サイズを変更したい場合、レーザーポインターによる簡単かつ直感的な操作により表示サイズの変更が可能であるため、コントローラーによる所定の操作が不要となり、これによって、プレゼンテーションの進行を妨げることなく所望の画像の表示サイズを変更することが可能となる。
【００１８】
［適用例７］上記適用例に記載の画像表示方法において、前記軌道情報が表す軌道が前記画面を横断する場合、前記軌道情報に基づき前記画面を縦方向に分割するようにしてもよい。
【００１９】
本適用例によれば、例えば入力映像が２ソースの場合、レーザーポインターの操作により画面の表示領域を縦に２分割し、各々分割された領域に合わせて表示を変更するため、直感的に双方の表示サイズを変更することが可能となる。
【００２０】
［適用例８］上記適用例に記載の画像表示方法において、前記軌道情報が表す軌道が前記画面を縦断する場合、前記軌道情報に基づき前記画面を横方向に分割するようにしてもよい。
【００２１】
本適用例によれば、例えば入力映像が２ソースの場合、レーザーポインターの操作により画面の表示領域を横に２分割し、各々分割された領域に合わせて表示を変更するため、直感的に双方の表示サイズを変更することが可能となる。
【００２２】
［適用例９］上記適用例に記載の画像表示方法において、所定の時間内に複数の軌道情報が入力されると、前記複数の軌道情報に基づき前記画面を分割するようにしてもよい。
【００２３】
本適用例によれば、最初の軌道情報が算出されてから所定の時間が経過するまでの間に、新たな軌道情報が算出されると、先に算出された軌道情報と、後に算出された軌道情報とに基づいて画面の分割状態を変更することができる。したがって、例えば入力映像が４ソースの場合、レーザーポインターの操作により画面の表示領域を４分割し、各々分割した領域に合わせて表示が変更されるため、直感的にそれぞれの表示サイズを変更することが可能となる。
【図面の簡単な説明】
【００２４】
【図１】本実施形態に係る画像表示システムの構成の一例を説明するための概略図である。
【図２】本実施形態に係る画像表示システムの構成の一例を説明するためのブロック図である。
【図３】本実施形態に係る画像表示装置における画面の分割状態の変更および表示画像のリサイズを実行する方法の一例について示すフローチャートである。
【図４】本実施形態に係る画像表示システムの構成の他の例を説明するためのブロック図である。
【図５】本実施形態に係る画像表示装置における表示領域をレーザーポインターの操作によって分割する処理を行う場合の画面遷移の一例について示す概略図である。
【図６】変形例に係る画像表示装置における画面の分割状態の変更および表示画像のリサイズを実行する方法について示すフローチャートである。
【図７】変形例に係る画像表示装置における画面の分割状態が変更される過程の説明図である。（ａ）は１画面表示中にレーザーポインターの光点を検出した状態を示している。（ｂ）は検出された光点に基づいて軌道情報を算出し画面を分割した状態を示している。（ｃ）は分割された画面に画像を表示した状態を示している。
【発明を実施するための形態】
【００２５】
次に、発明を実施するための形態について図面を参照して詳細に説明する。図１は、本実施形態に係る画像表示システムの構成の一例を説明するための概略図である。
【００２６】
（第１実施形態）
図１に示すとおり、本実施形態に係る画像表示システムは、画像供給装置としてのノートタイプのパーソナルコンピューター１００，１１０（以下、ノートＰＣ１００，１１０と記す）と、画像表示装置としてのプロジェクター２００を有する。また、ＵＳＢケーブル３００、無線ＬＡＮ（Local Area Network）３１０をプロジェクターへの映像の入力手段として備える。なお、プロジェクター２００への映像入力手段としてはこれに限らず、例えば、有線ＬＡＮ（Local Area Network）、ＲＧＢケーブル、ＨＤＭＩケーブル等、他の入力手段を用いてもよい。
【００２７】
図２は、画像表示システムの構成の一例を示すブロック図である。図２に示す画像表示システムは、プロジェクター２００に対して、複数のノートＰＣ１００，１１０が通信可能に接続される例を示す。
ノートＰＣ１００は、制御部１０１と、メモリー部１０２と、映像出力部１０３とを備える。
【００２８】
映像出力部１０３は、ＵＳＢケーブル３００と接続可能なＵＳＢインターフェイスを備え、ＵＳＢケーブル３００を介して、プロジェクター２００と接続されデータ通信を行う。
映像出力部１０３は、画像データ等をＵＳＢケーブル３００で通信可能な信号に変換し、ＵＳＢケーブル３００を介してプロジェクター２００に送信する。
【００２９】
メモリー部１０２は、制御部１０１や映像出力部１０３に任意の機能を発揮させるための様々な制御プログラムや、映像出力部１０３を介して、プロジェクター２００に出力される画像データ等の情報等を記憶している。
【００３０】
ノートＰＣ１１０は、制御部１０１と、メモリー部１０２と、映像出力部１１３とを備える。
映像出力部１１３は、無線ＬＡＮ３１０を介して、プロジェクター２００と接続される。なお、ノートＰＣ１００と同様の構成や機能については同一の符号を付し説明は省略する。
映像出力部１１３は、プロジェクター２００と無線ＬＡＮ３１０で通信を行う無線通信インターフェイスを備え、画像データ等を無線ＬＡＮで通信可能な信号に変換し、無線ＬＡＮ３１０を介して、プロジェクター２００に送信する。
【００３１】
プロジェクター２００は、受光部としてのレーザーポインター受光部２０１と、画像表示部２０２と、メモリー部２０３と、画像信号入力部としての映像入力部（映像供給装置接続部）２０４と、画像処理部２０５と、カード挿入部２０６と、記憶装置２０７と制御部２０８とを備える。制御部２０８は、さらに、軌道算出部２０８１を備えている。なお、制御部２０８と画像処理部２０５とは、ＣＰＵ２０９を構成している。
なお、プロジェクター２００は、ノートＰＣ１００、１１０から入力された画像データをソフトウェアで復号し、再生する、いわゆるソフトウェアデコードによって画像を表示する構成を有する。
【００３２】
レーザーポインター受光部２０１は、レーザーポインターによってスクリーンに投影される光（光点）を検知し、ユーザーが所定の操作を実施した場合、メモリー部２０３のデータ保存領域にレーザーポインターが成す光点の座標を保存し、ユーザーの操作によって、ユーザーからの指示が入力されたことを制御部２０８に通知する。
【００３３】
画像表示部２０２は、ノートＰＣ１００，１０１から受信する画像データに基づき、例えば、光変調素子（ライトバルブ）によって変調された画像光を出射し、スクリーン等に拡大投写する。
カード挿入部２０６は、着脱自在の外部メモリーカード等が接続されるインターフェイスであって、例えば、外部メモリーカード等に記憶されている画像データやプログラム等の情報を読み出す。
【００３４】
メモリー部２０３は、メモリー領域と、データ保存領域と、ＶＲＡＭ（Ｖｉｅｄｏ  Ｒａｎｄｏｍ  Ａｃｃｅｓｓ  Ｍｅｍｏｒｙ）領域等を含む。
メモリー部２０３は、制御部２０８や画像処理部２０５に、任意の機能を発揮させるための様々な制御プログラムを保持し、例えば、圧縮や符号化等がなされた画像データをデコードするプログラムを、画像共有装置や画像データの種類に応じて複数個保持する。
メモリー部２０３のメモリー領域は、デコードプログラムが展開される領域であって、データ保存領域は、映像入力部２０４を介してノートＰＣ１００，１１０から入力された画像データが保存される領域であって、ＶＲＡＭ領域は、制御部２０８によってデコードされた画像データが保存される領域である。
【００３５】
映像入力部２０４は、複数のインターフェイスを含み、例えば、ＵＳＢケーブル３００を介してノートＰＣ１００と通信可能に接続されるＵＳＢインターフェイス２０４１と、無線ＬＡＮを介してノートＰＣ１１０と通信可能に接続される無線ＬＡＮインターフェイス２０４２を含む。また、映像入力部２０４は、例えば、コンパレーター等からなる識別部を含み、各インターフェイスを介して画像データ等の入力があるか否かを識別し、画像データ等の入力の有無を制御部２０８に通知する。
【００３６】
画像処理部２０５は、画像データに対して、例えば、指定された表示サイズに画像を変更する。
【００３７】
記憶装置２０７は、例えば、ＥＰＲＯＭ（Ｅｒａｓａｂｌｅ  Ｐｒｏｇｒａｍａｂｌｅ  ＲＯＭ）やＥＥＰＲＯＭ（Ｅｌｅｃｔｒｉｃａｌｌｙ  Ｅｒａｓａｂｌｅ  Ｐｒｏｇｒａｍａｂｌｅ  ＲＯＭ）等の不揮発性メモリーであって、例えば、プロジェクター２００の設定情報等を保持する。
【００３８】
制御部２０８は、メモリー部２０３のデータ領域に保持されている画像データのフォーマットを解析し、画像データに応じたデコードプログラムをメモリー部２０３のメモリー領域に展開する。また、制御部２０８は、展開したデコードプログラムにしたがって、メモリー部２０３のデータ領域に保存される画像データをデコードし、メモリー部２０３のＶＲＡＭ領域に展開する。
【００３９】
制御部２０８は、レーザーポインター受光部２０１からレーザーポインター受光の通知を受けると、メモリー部２０３のデータ領域に保持されているレーザーポインターの光点の座標情報を読み出し、軌道算出部２０８１を用いて光点の軌道を算出して、表示領域を分割する座標を決定し、分割する表示領域のサイズ、すなわち画像の表示サイズと、デコード済みの画像データとを、画像処理部２０５に通知する。
制御部２０８は、画像処理部２０５で処理されたノートＰＣ１００，１０１それぞれの画像データを、分割されたそれぞれの表示領域に対応するメモリー部２０３のＶＲＡＭ領域の領域に展開する。
【００４０】
次にノートＰＣ１００からプロジェクター２００に送信される画像データを、プロジェクター２００によって表示させる方法の一例について説明する。なお、ノートＰＣ１００からプロジェクター２００に送信される画像データとして、例えば、ノートＰＣ１００によって生成されるノートＰＣ１００の表示画面（図示せず）に表示される画像データ（例えば、映像を構成する連続した画像データ）を用いて以下説明する。
【００４１】
まず、図２に示す通り、ノートＰＣ１００とプロジェクター２００がＵＳＢケーブル３００を介して接続されると、ノートＰＣ１００の映像出力部１０３が、プロジェクター２００に対して同期信号が付与された画像データを送信する。
プロジェクター２００の映像入力部２０４は、ＵＳＢインターフェイス２０４１を介して画像データを受信すると、画像データに付されている同期信号を解析し、制御部２０８に対して、ＵＳＢインターフェイスを介してノートＰＣ１００から画像データの送信要求があった旨を通知する。
また、映像入力部２０４は、ノートＰＣ１００から受信した画像データをメモリー部２０３のデータ保存領域に保存する。
【００４２】
制御部２０８は、映像入力部２０４からの通知に基づき、通信された画像データのデコードプログラムをメモリー部２０３のメモリー領域に展開する。制御部２０８は、メモリー部２０３のメモリー領域に展開されているデコードプログラムに従って、メモリー部のデータ保存領域に保存されている画像データをデコードし、メモリー部２０３のＶＲＡＭ領域に展開する。
そして、制御部２０８は、メモリー部２０３のＶＲＡＭ領域に展開されている画像データを画像表示部２０２へ出力する。これにより、画像表示部２０２は、入力された画像データを画像光に変調し、スクリーン等に画像データに基づく画像を投写する。
【００４３】
次に、図３を参照して、本実施形態に係る画像表示システムの動作の一例について説明する。図３は、画像表示装置における画面の分割状態の変更および表示画像のリサイズを実行する方法の一例について示すフローチャートである。
【００４４】
まず、ノートＰＣ１００とＵＳＢケーブル３００を介して通信可能に接続されている状態と、ノートＰＣ１１０と無線ＬＡＮ３１０を介して通信可能に接続されている状態とが同時になされているプロジェクター２００に、ノートＰＣ１００およびノートＰＣ１１０から画像データが入力されると、プロジェクター２００は、表示領域を例えば左右に２分割し、画面右側にノートＰＣ１００から受信した画像データを、画面左側にノートＰＣ１１０から受信した画像データを、それぞれ変換してスクリーン等に投写する（ステップＳＴ１）。
【００４５】
プロジェクター２００は、ノートＰＣ１００とノートＰＣ１１０とから画像データが連続して入力している場合、画像表示部２０２によって表示される画像を連続して生成し、ノートＰＣ１００とノートＰＣ１１０とから送信される画像データに基づく映像を表示する。また、画面を上下に２分割して、表示してもよい。
【００４６】
次に、ユーザーがレーザーポインターによって所定の操作、例えば表示領域を縦断する操作をした場合、レーザーポインター受光部２０１は、レーザーポインターがスクリーン上に投写する光点の座標を、メモリー部２０３のデータ保存領域に記録して、ユーザーからの指示が入力されたことを制御部２０８に通知する（ステップＳＴ２）。
【００４７】
制御部２０８は、メモリー部２０３からレーザーポインター受光の通知を受けると、メモリー部２０３のデータ領域に保持されているレーザーポインターの光点の座標を読み出し、軌道算出部２０８１を用いてレーザーポインターの光点の軌道情報を求め、表示領域を分割する座標を算出する（ステップＳＴ３）。
表示領域を分割する座標を算出してから所定の時間が経過する前にレーザーポインター受光部２０１から、新たな指示入力を受け付けたことを示す通知が制御部２０８に入力されると（ステップＳＴ４：Ｙｅｓ）、上述したステップＳＴ２およびステップＳＴ３を実行し、既に算出した表示領域を分割する座標とは別に、新たに表示領域を分割する座標を算出する。
なお、ステップＳＴ３までの処理で表示領域を分割する座標を算出してから所定の時間が経過するまでの間に新たな指示入力がなかった場合（ステップＳＴ４：Ｎｏ）、分割する表示領域のサイズ、すなわち画像の表示サイズと、デコード済みの画像データとを、画像処理部２０５に通知する。ここで、表示領域を分割する座標の情報が複数算出された場合は、表示領域を３以上に分割する。
次に、画像処理部２０５は、画像データに対して、指定された表示サイズに画像を変更する画像処理を行う（ステップＳＴ５）。
【００４８】
制御部２０８は、画像処理部２０５で処理されたノートＰＣ１００、１０１それぞれの画像データを、分割されたそれぞれの表示領域に対応するメモリー部２０３のＶＲＡＭ領域の領域に展開し、画像を表示する（ステップＳＴ６）。
【００４９】
（第２実施形態）
次に、図４を用いて、画像表示システムの他の実施形態について説明する。図４は、画像供給装置と画像表示装置の構成の他の例について示すブロック図である。なお、図２に示す構成部材と同様の構成や機能を備える構成部材については、同一の符号や名称を付して、詳細な説明は省略する。
【００５０】
図４に示す通り、本実施形態に係る画像表示システムは、第１の画像供給装置１２０と、第２の画像供給装置１３０と、第３の画像供給装置１４０と、第４の画像供給装置１５０とそれぞれと通信可能に接続される画像表示装置２２０とを備える。
また、画像表示システムは、第１〜４の画像供給装置１２０〜１５０と画像表示装置２２０との通信を確保する手段として、例えば、第１の画像供給装置１２０と画像表示装置２２０とを接続するＲＧＢケーブル３２０と、第２の画像供給装置１３０と画像表示装置２２０とを接続するＨＤＭＩ接続手段３３０と、第３の画像供給装置１４０と画像表示装置２２０とを無線通信で接続するビデオ信号伝送手段３４０と、第４の画像供給装置１５０と画像表示装置２２０とを接続する有線ＬＡＮ接続手段３５０とを備える。
なお、ＲＧＢケーブル３２０は、アナログ信号で画像データおよび音声データを伝送するＲＧＢ接続手段であって、Ｓ端子接続手段が利用されてもよい。また、ＨＤＭＩ（High-Definition Multimedia Interface）接続手段３３０とは、１本のケーブルで画像データ、音声データ、および制御信号をあわせて伝送できるものであって、主に、パーソナルコンピューターと液晶表示装置等のディスプレイを接続する手段として利用されている。さらに、ビデオ信号伝送手段とは、ビデオカメラ等で撮像された複数画像データが連続して動画を構成するビデオ信号を伝送する手段であって、無線通信に限らず、有線通信であってもよい。
【００５１】
画像表示装置２２０は、画像表示部２０２と、第１のメモリー部２１０と、第２のメモリー部２１１と、映像入力部２１２と、を備えている。
画像表示装置２２０は、第１〜４の画像供給装置１２０〜１５０から入力された画像データをハードウェアで復号し、再生する、いわゆるハードウェアデコードによって画像を表示する構成を有する。
【００５２】
第１のメモリー部２１０は、制御部２０８や画像処理部２０５等に所定の処理を実行させるための制御プログラムを保持する。
第２のメモリー部２１１は、画像処理部２０５によってデコードされた画像データを保持するデータ保存領域を含む。
制御部２０８は、画像表示装置２２０を統括的に制御する。
【００５３】
画像処理部２０５は、映像入力部２１２を介して、第１〜４の画像供給装置１２０〜１５０から受信した画像データに対して、画像表示部２０２に応じたデータに変換するデータ変換処理を行う。また、画像処理部２０５は、データ変換処理をした画像データを第２のメモリー部２１１のＶＲＡＭ領域に保存する。画像表示部２０２は、第２のメモリー部２１１のＶＲＡＭ領域に保存されている画像データを読み出し、表示する。
画像処理部２０５は、例えば、映像入力部２１２から出力されたアナログ信号の画像データをデジタル信号に変換したり、あるいは映像入力部２１２から出力されたデジタル信号の画像データをシリアル信号やパラレル信号に変換したりする等のデータ変換処理を行う。すなわち、画像処理部２０５は、それぞれ異なる伝送手段で画像データを送信する第１〜４の画像供給装置１２０〜１５０に応じて、第１〜４のデータ変換処理部を備える。
【００５４】
映像入力部２１２は、ＲＧＢケーブル３２０と接続されるＲＧＢ信号インターフェイス２１２１と、ＨＤＭＩ接続手段３３０と接続されるＨＤＭＩインターフェイス２１２２と、無線通信でビデオ信号伝送手段３４０と接続されるビデオ信号インターフェイス２１２３と、有線ＬＡＮ接続手段３５０と接続される有線ＬＡＮインターフェイス２１２４とを備える。また、映像入力部２１２は、第１〜４の画像供給装置ｌ２０〜１５０から受信した画像データを画像処理部２０５に出力する。  なお、図示していないが、画像表示装置２２０は、図２と同様に、カード挿入部２０６と、記憶装置２０７とを備える構成であってもよい。
【００５５】
次に、本実施形態に係る画像表示システムのデータ通信方法の一例について説明する。
例えば、第１の画像供給装置１２０と画像表示装置２２０とが、ＲＧＢケーブル３２０を介して接続されると、第１の画像供給装置１２０が、画像表示装置２２０に対してアナログ信号である画像データを送信する。画像表示装置２２０の映像入力部２１２は、ＲＧＢ信号インターフェイス２１２１を介して画像データを受信すると、受信した画像データを画像処理部２０５に転送する。画像処理部２０５は、アナログ信号である画像データを受信すると、アナログ／デジタル（Ａ/Ｄ）変換を行う第１のデータ変換処理部（図示せず）によって、デジタル信号の画像データに変換され、画像表示部２０２に出力される。画像表示部２０２は、入力された画像データを画像光に変調し、スクリーン等に画像データに基づく画像を投写する。
画像表示装置２２０は、上述と同様にして、第２の画像供給装置１３０と第３の画像供給装置１４０と第４の画像供給装置１５０とから送信された画像データを受信し、画像表示部２０２に表示させる。
【００５６】
図５は、画像表示装置における表示領域をレーザーポインターの操作によって分割する処理を行う場合の画面遷移の一例を図示した概略図である。
上述した構成により、画像表示装置２２０が第１〜４の画像供給装置１２０〜１５０と接続が確保された状態であって、第１〜４の画像供給装置１２０〜１５０の全てから画像データが同時に入力されている場合において説明する。
図５（ａ）に示すように、画像表示装置２２０はスクリーン上の表示領域を格子状に４分割し、画面左上の領域Ａに第１の画像供給装置１２０から受信した画像データを、画面右上の領域Ｂに第２の画像供給装置１３０から受信した画像データを、画面左下の領域Ｃに第３の画像供給装置１４０から受信した画像データを、画面右下の領域Ｄに第４の画像供給装置１５０から受信した画像データを、それぞれ変換して投写する。
第１〜４の画像供給装置１２０〜１５０より画像データが連続して入力している場合、表示される画像を画像表示部２０２によって連続して生成し、第１〜４の画像供給装置１２０〜１５０より送信される画像データに基づく映像を表示する。
【００５７】
レーザーポインター受光部２０１は、レーザーポインターがスクリーン上に投写する光点の座標を、第１のメモリー部２１０のデータ保存領域に記録して、ユーザーからの指示が入力されたことを制御部２０８に通知する。
【００５８】
制御部２０８は、レーザーポインター受光部２０１からレーザーポインター受光の通知を受けると、第１のメモリー部２１０のデータ領域に保持されているレーザーポインターの光点の座標を読み出し、軌道算出部２０８１を用いてレーザーポインターの光点の軌道情報を求める。ここで求められた軌道情報に基づき、レーザーポインターの光点で画面を縦断かつ横断する操作、すなわち、図５（ｂ）に示すような、レーザーポインターを動かすことで、光点の軌道Ｋが交差する操作をユーザーが行なったと判定されると、表示領域を分割する座標を算出し、分割する表示領域のサイズ、すなわち画像の表示サイズと、デコード済みの画像データとを、画像処理部２０５に通知する。
画像処理部２０５は、画像データに対して、指定された表示サイズに画像を変更する。
【００５９】
制御部２０８は、画像処理部２０５で処理された第１〜４の画像供給装置１２０〜１５０それぞれの画像データを、分割されたそれぞれの領域Ａ〜Ｄに対応するメモリー部２０３のＶＲＡＭ領域に展開し、図５（ｃ）に示すように画像を表示する。
【００６０】
（変形例）
なお、画像表示装置の一例として本実施形態において説明したプロジェクター２００および画像表示装置２２０としては、例えば、光源が放射した白色光を、３原色成分である赤色光、青色光、緑色光に分離し、色光ごとに各色光用の液晶ライトバルブ（光変調素子）を用いて画像データに応じた画像光に変調する。そして、変調した画像光を再合成したフルカラーの画像光を、投写レンズを介してスクリーンに拡大投写する、いわゆる液晶３板式プロジェクター等が利用可能である。
また、画像表示装置は、プロジェクターに限られず、例えば、液晶画面を有するディスプレイや通信端末等であってもよい。
【００６１】
また、画像供給装置としては、例えば、ゲーム機器や、携帯電話端末。ＤＶＤ再生装置、無線通信で接続される映像信号供給装置等であってもよい。
また、プロジェクター２００の映像入力部２０４は、例えば、画像供給装置から出力されるアナログＲＧＢ信号を受信するインターフェイスや、ＤＶＤプレイヤーやＳビデオプレーやから出力される画像データ（Ｓ信号）を受信するインターフェイス、ビデオプレイヤーＶＩやＴＶチューナーから出力されるコンポジット信号を受信するインターフェイス、あるいは、専ら一般的な家庭用電気器具から出力されている、音声データおよび画像データを伝送するＨＤＭＩを受信するインターフェイス等を有する構成であってもよい。
【００６２】
また、上述の画像供給装置（ノートＰＣ）１００〜１５０、および画像表示装置（プロジェクター）２００，２２０における動作の過程は、コンピューターに実行させるためのプログラムや、このプログラムとしてコンピューター読み取り可能な記録媒体として利用可能であり、コンピューターシステムが読み出して実行することによって、上述の処理が行われる。なお、ここでいう「コンピューターシステム」とは、ＣＰＵ及び各種メモリーやＯＳ、周辺機器等のハードウェアを含むものである。
また、「コンピューターシステム」は、ＷｏｒｌｄＷｉｄｅＷｅｂシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００６３】
さらに「コンピューター読み取り可能な記録媒体」とは、インターネット等のネットワークや、電話回線等の通信回線を介してプログラムが送信された場合のサーバー、またはクライアントとなるコンピューターシステム内部の揮発性メモリー（例えばＤＲＡＭ（Dynamic Random Access Memory））のように、一定時間プログラムを保持しているものも含むものとする。
【００６４】
また、上記プログラムは、このプログラムを記憶装置等に記憶したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６５】
また、上記プログラムは、前述した機能の一部を実現するためのものであっても良い。さらに、前述した機能をコンピューターシステムに既に記録されているプログラムとの組合せで実現できるもの、いわゆる差分ファイル（差分プログラム）であっても良い。
【００６６】
なお、複数の画像供給装置から供給されている画像信号に基づく画像を分割表示している状態で、レーザーポインターの軌跡Ｋに基づいて画面の分割状態を変更する実施形態を例示したが、本発明はこれに限定されるものではなく、種々の変形が可能である。
【００６７】
図６は、変形例に係る画像表示装置における画面の分割状態の変更および表示画像のリサイズを実行する方法について示すフローチャートであり、図７は変形例に係る画像表示装置における画面の分割状態が変更される過程を説明する図である。
図６において、ノートＰＣ１００からの画像信号がプロジェクター２００に入力されている状態で、当該画像信号に基づく画像を１画面表示する（ステップＳＴ１１）。
図７（ａ）に示すように、画面上に投写されるレーザーポインターの光点Ｐを検知（ステップＳＴ１２）すると、レーザーポインターの光点の軌道Ｋを解析する（ステップＳＴ１３）。
【００６８】
軌道を解析してから所定の時間が経過する前であれば、あらためて上述したステップＳＴ１２およびステップＳＴ１３を実行して新たな軌道を解析する（ステップＳＴ１４：Ｎｏ）。
レーザーポインターの光点の軌道を解析してから所定の時間が経過した場合は（ステップＳＴ１４：Ｙｅｓ）、上述したステップで解析された軌道に基づき、画面を分割する（ステップＳＴ１５）。
【００６９】
その後、画面を分割して得られる領域のひとつに、ノートＰＣ１００からの画像信号に基づく画像を表示する（ステップＳＴ１６）。
さらに、ノートＰＣ１００以外の画像供給装置から画像信号の入力があるか、すなわち、他に入力ソースが有るか否かを判定する（ステップＳＴ１７）。
【００７０】
他に入力ソースが無い場合（ステップＳＴ１７：Ｎｏ）、図７（ｂ）に示すように、分割された領域のうち画像が表示されていない領域Ｅに、入力信号が無い旨を示す画像を表示する。
他に入力ソースが有る場合（ステップＳＴ１７：Ｙｅｓ）、図７（ｃ）に示すように、分割された領域のうち画像が表示されていない領域に、選択された未表示の入力ソースからの画像信号に基づく画像を表示する（ＳＴ１８）。
【００７１】
このような構成によれば、予め２画面以上の分割状態に設定しておかなくても、レーザーポインターを用いて容易に画面の分割数および分割領域のサイズの変更を行なうことができる。
【符号の説明】
【００７２】
１００，１１０  画像供給装置（ノートＰＣ）、１０１  制御部、１０２  メモリー部、１０３  映像出力部、１１３  映像出力部、１２０  第１の画像供給装置、１３０  第２の画像供給装置、１４０  第３の画像供給装置、１５０  第４の画像供給装置、２００  プロジェクター（画像表示装置）、２０１  レーザーポインター受光部、２０２  画像表示部、２０３  メモリー部、２０４  映像入力部、２０５  画像処理部、２０６  カード挿入部、２０７  記憶装置、２０８  制御部、２０８１  軌道算出部、２０９  ＣＰＵ、２１０  第１のメモリー部、２１１  第２のメモリー部、２１２  映像入力部、２２０  画像表示装置、２０４１  ＵＳＢインターフェイス、２０４２  無線ＬＡＮインターフェイス。
【図１】
2012073315.tif 000003
【図２】
2012073315.tif 000004
【図３】
2012073315.tif 000005
【図４】
2012073315.tif 000006
【図５】
2012073315.tif 000007
【図６】
2012073315.tif 000008
【図７】
2012073315.tif 000009